(57)【要約】【課題】所定の方向に一列に配置され、複数に分割された各領域の画像信号を前記各領域に対応する別々の出力端子から出力するリニアＣＣＤイメージセンサを備える画像読取装置において、安価でかつ簡易な構成で前記各領域におけるリニアＣＣＤイメージセンサによる読み取り信号のレベルの段差を低減させること。【解決手段】光源の光量を段階的にダウンさせながら基準白板を読み取ることにより左右分割読出方式におけるリニアＣＣＤイメージセンサの左右のリニアリティ特性を生成し、生成したリニアリティ特性を理想リニアリティ特性に一致させ、若しくは、一方のリニアリティ特性をもう一方のリニアリティ特性に一致させるようにγ補正用データを生成し、生成したγ補正用データに基づいて原稿の読み取り画像を補正する。【選択図】図４
2014030183.tif 000002
【特許請求の範囲】
【請求項１】
光源から原稿に対して照射した光の反射光に基づいて、複数に分割された各領域の画像信号を前記各領域に対応する別々の出力端子から出力するリニアイメージセンサにより前記原稿を読み取る画像読取装置において、
前記光源から照射される光の強度を段階的に減少若しくは増加させるように調整する光源調整部と、
調整された各段階の強度の光を前記光源から基準濃度を有する基準濃度板に照射して前記基準濃度板を前記リニアイメージセンサに読み取らせることにより、前記各段階の強度における基準濃度板読取データを取得する基準濃度板読取データ取得部と、
取得された前記基準濃度板読取データと前記各段階の強度との関係性を表す関係特性を前記各領域毎に生成する関係特性生成部と、
前記各領域について生成された前記関係特性を一致させるように変換するための変換データを生成する変換データ生成部と、
生成された前記変換データに基づいて前記画像信号を変換する画像信号変換部と、
を備えることを特徴とする画像読取装置。
【請求項２】
前記変換データ生成部は、前記各領域について生成された前記関係特性を、予め設定されている基準関係特性に一致させるように変換するための変換データを生成することを特徴とする請求項１に記載の画像読取装置。
【請求項３】
前記変換データ生成部は、前記各領域について生成された前期関係特性を、生成された前記関係特性のうちのいずれかに一致させるように変換するための変換データを生成することを特徴とする請求項１に記載の画像読取装置。
【請求項４】
前記光源調整部は、前記各領域の分割位置に相当する部分の光源のみを点灯させ、
前記基準濃度板読取データ取得部は、前記光源の点灯部分のみから前記各段階の強度の光を前記基準濃度板に照射して前記基準濃度板を前記リニアイメージセンサに読み取らせることにより、前記各段階の強度における基準濃度板読取データを取得することを特徴とする請求項１乃至３いずれか１項に記載の画像読取装置。
【請求項５】
生成された前記変換データに基づいて、前記画像信号にγ補正を施すためのデータであるγ補正用データを生成するγ補正用データ生成部を備え、
前記画像信号変換部は、生成された前記γ補正用データに基づいて前記画像信号を変換することを特徴とする請求項１乃至４いずれか１項に記載の画像読取装置。
【請求項６】
前記γ補正用データ生成部は、入力信号に対する出力信号の割り当てを示す情報を前記γ補正用データとして生成することを特徴とする請求項５に記載の画像読取装置。
【請求項７】
前記γ補正用データ生成部は、前記各領域について生成された前記関係特性を一致させるように変換するための演算式を前記γ補正用データとして生成することを特徴とする請求項５に記載の画像読取装置。
【請求項８】
請求項１乃至７いずれか１項に記載の画像読取装置を備えることを特徴とする画像形成装置。
【請求項９】
光源から原稿に対して照射した光の反射光に基づいて、複数に分割された各領域の画像信号を前記各領域に対応する別々の出力端子から出力するリニアイメージセンサにより前記原稿を読み取る画像読取装置の制御方法であって、
前記光源から照射される光の強度を段階的に減少若しくは増加させるように調整し、
調整された各段階の強度の光を前記光源から基準濃度を有する基準濃度板に照射して前記基準濃度板を前記リニアイメージセンサに読み取らせることにより、前記各段階の強度における基準濃度板読取データを取得し、
取得された前記基準濃度板読取データと前記各段階の強度との関係性を表す関係特性を前記各領域毎に生成し、
前記各領域について生成された前記関係特性を一致させるように変換するための変換データを生成し、
生成された前記変換データに基づいて前記画像信号を変換することを特徴とする画像読取装置の制御方法。
【発明の詳細な説明】
【技術分野】
【０００１】
本発明は、画像読取装置、画像読取装置を備える画像形成装置、画像読取装置の制御方法に関し、特に、画像読取装置における読み取り画像の補正方法に関する。
【背景技術】
【０００２】
近年、情報の電子化が推進される傾向にあり、書類の電子化に用いられるスキャナ等の画像読取装置は欠かせない機器となっている。このような画像読取装置には通常、複数のフォトダイオードを一列に並べ、これに並列にＣＣＤ（Ｃｈａｒｇｅ  Ｃｏｕｐｌｅｄ  Ｄｅｖｉｃｅ）等のイメージセンサが配置されたリニアイメージセンサが備えられており、これにより原稿を読み取るようになっている。
【０００３】
このようなリニアイメージセンサは、上記フォトダイオード、ＣＣＤの他に、信号検出回路を備えている。フォトダイオードは、光を電荷に変換する光電変換素子であり感光部として機能し、ＣＣＤは、フォトダイオードにより生成された電荷を信号検出回路に転送する転送部として機能し、信号検出回路は、ＣＣＤから転送されてきた電荷を電圧に変換してアナログ信号として出力する出力部として機能する。このようなリニアイメージセンサは線状の像しか光電変換できないので、被写体とイメージセンサを相対的に移動させるか、光学系によって同等の相対移動を行うことにより被写体全体をカバーするようになっている。
【０００４】
このようなリニアイメージセンサを備える画像読取装置が原稿を読み取ることにより画像情報を取得するためにはまず、原稿の読み取り方向（以下、「副走査方向」とする）に対して垂直な方向（以下、「主走査方向」とする）に一列に配置されたＬＥＤ（Ｌｉｇｈｔ  Ｅｍｉｔｔｉｎｇ  Ｄｉｏｄｅ）等により構成される光源から上記原稿に対して光を照射する。そして、画像読取装置は、その光の反射光を結像レンズにより結像し、結像した原稿像をフォトダイオードにより電荷に変換する。画像読取装置は、フォトダイオードにより生成された電荷をＣＣＤから信号検出回路に転送し、転送されてきた電荷を信号検出回路により電圧に変換してからＡ／Ｄ（Ａｎａｌｏｇ／Ｄｉｇｉｔａｌ  Ｃｏｎｖｅｒｓｉｏｎ）変換器に出力してデジタルデータに変換する。
【０００５】
画像読取装置は、このような処理を、上記ＬＥＤ光源を主走査方向に走査させながら行うことにより二次元的に原稿を読み取ることが可能となる。このようにして画像読取装置は原稿をデジタル的に読み取り画像情報を取得するようになっている。このような処理によりデジタルデータに変換された画像情報は、例えば、画像形成装置に送られ画像形成出力が行われ、若しくは画像形成装置のＨＤＤ（Ｈａｒｄ  Ｄｉｓｋ  Ｄｒｉｖｅ）等の記憶装置に記憶され、また、ＰＣ（Ｐｅｒｓｏｎａｌ  Ｃｏｍｐｕｔｅｒ）等の外部の情報処理端末に送信される情報として使用される。
【０００６】
ところで、このような画像読取装置においては、原稿の読み取り速度の高速化を実現するために、一列に配置されたリニアＣＣＤイメージセンサを中央を境に左右２つの領域に分割して出力するタイプ（以下、「左右分割読出方式」とする）のリニアＣＣＤイメージセンサが備えられている。このような左右分割読出方式のリニアイメージセンサを備える画像読取装置においては、ＣＣＤデバイスの違いによる左右のＣＣＤ特性のばらつきにより、ＣＣＤイメージセンサが受光する光の光量とそのときに出力する出力信号との間で成り立つ特性（以下、「リニアリティ特性」とする）が左右で異なる。
【０００７】
従って、このような画像読取装置においては、左右の読取信号にレベル差が生じ、左右の分割位置を境に左右で読取信号レベル段差が発生してしまうことになる。そのため、左右分割読出方式のリニアＣＣＤイメージセンサを備える画像読取装置においては、左右の分割位置において僅かでも信号段差が発生してしまうと、原稿読み取りの結果で取得した画像情報には、上記分割位置に相当する位置を境に画像濃度等の画像品質が異なり目立ってしまうという問題がある。
【０００８】
そこで、上記のような信号段差をなくす、即ち、左右のリニアリティ特性を一致させるために、所定のグレースケールチャートを画像読取装置に読み取らせることにより、左右のリニアリティ特性を理想の状態に補正するγ補正用のＬＵＴ（Ｌｏｏｋ  Ｕｐ  Ｔａｂｌｅ）や演算式を生成する方法が提案され既に知られている。このような画像読取装置においては、生成したＬＵＴや演算式に基づいて左右のリニアリティ特性を補正することにより理想のリニアリティ特性となるように変換し、左右のリニアリティ特性を一致させるようになっている。尚、ここで用いられる所定のグレースケールチャートとは、γ補正用の階調データを取得するために段階的に階調が変化しているチャートであって、画像読取装置のメーカー独自に用意されたその画像読取装置に専用のチャートである。
【０００９】
ところが、このような専用のチャートを読み込ませ、左右のリニアリティ特性を理想のリニアリティ特性に変換する方法では上記専用チャートが必要となるが、上述したように、専用チャートはメーカー独自に用意されたものであり、一般的にはユーザやサービスマンがその専用チャートを入手することは困難である。そのため、このような専用のチャートを読み込ませる方式では、画像読取装置の製造段階においてメーカーにより一度だけ補正が行われるのみで、その後においては、リニアリティ特性の補正を再度行うことは事実上不可能となっている。
【００１０】
そこで、このような専用のチャートを必要としないで、上記のような信号段差をなくす、即ち、左右のリニアリティ特性を一致させるように補正を行う方法が提案され既に知られている（例えば、特許文献１）。特許文献１には、グレー基準板を備え、ＣＣＤイメージセンサの蓄積時間（露光時間）を段階的に変えながら上記グレー基準板を読み取ることで蓄積時間（露光時間）毎の読み取りレベルを得て、その読み取りレベルを予め設定された基準信号のレベルに変換するためのＬＵＴを生成し、生成したＬＵＴに基づいて左右の信号段差をなくすように補正を行う画像読取装置が記載されている。従って、特許文献１によれば、専用のチャートを必要とせずに、左右のＣＣＤイメージセンサの信号段差をなくす補正を任意のタイミングでユーザやサービスマンでも行うことが可能となる。
【発明の概要】
【発明が解決しようとする課題】
【００１１】
ところが、特許文献１に記載の画像読取装置においては、上述したようにＣＣＤイメージセンサの蓄積時間（露光時間）を段階的に変化させる必要があるので、蓄積時間（露光時間）に応じて暗電流も変化し、その暗電流による影響を補正するための処理が必要となる。ここで、暗電流とは、ＣＣＤイメージセンサの露光状態において、光が入射しない状態においても受光部で発生する電荷成分のことである。そのため、ＣＣＤイメージセンサにおいては、蓄積時間（露光時間）が長くなるに従って電荷蓄積量が増えることになる。従って、特許文献１に記載の画像読取装置においては、ＣＣＤイメージセンサが光を受光していない状態であってもあたかも光を受光している状態と同等な状態となってしまい、蓄積時間（露光時間）毎に逐一その分の差分演算を行わなければならないという問題がある。
【００１２】
また、特許文献１に記載の画像読取装置においては、上述したようにグレー基準板が必要となり、その分コストが高くなったり、装置本体が大きくなったり、機構が複雑になったりするといった問題がある。
【００１３】
上記のような問題は、左右分割読出方式のリニアイメージセンサに限らず、より多く分割された多分割リニアＣＣＤイメージセンサにおいても同様に起こり得る問題である。
【００１４】
本発明は、このような課題を解決するためになされたものであり、所定の方向に一列に配置され、複数に分割された各領域の画像信号を前記各領域に対応する別々の出力端子から出力するリニアＣＣＤイメージセンサを備える画像読取装置において、安価でかつ簡易な構成で前記各領域におけるリニアＣＣＤイメージセンサによる読み取り信号のレベルの段差を低減させることを目的とする。
【課題を解決するための手段】
【００１５】
上記課題を解決するために、光源から原稿に対して照射した光の反射光に基づいて、複数に分割された各領域の画像信号を前記各領域に対応する別々の出力端子から出力するリニアイメージセンサにより前記原稿を読み取る画像読取装置において、前記光源から照射される光の強度を段階的に減少若しくは増加させるように調整する光源調整部と、調整された各段階の強度の光を前記光源から基準濃度を有する基準濃度板に照射して前記基準濃度板を前記リニアイメージセンサに読み取らせることにより、前記各段階の強度における基準濃度板読取データを取得する基準濃度板読取データ取得部と、取得された前記基準濃度板読取データと前記各段階の強度との関係性を表す関係特性を前記各領域毎に生成する関係特性生成部と、前記各領域について生成された前記関係特性を一致させるように変換するための変換データを生成する変換データ生成部と、生成された前記変換データに基づいて前記画像信号を変換する画像信号変換部と、を備えることを特徴。
【００１６】
また、本発明の他の態様は、光源から原稿に対して照射した光の反射光に基づいて、複数に分割された各領域の画像信号を前記各領域に対応する別々の出力端子から出力するリニアイメージセンサにより前記原稿を読み取る画像読取装置の制御方法であって、前記光源から照射される光の強度を段階的に減少若しくは増加させるように調整し、調整された各段階の強度の光を前記光源から基準濃度を有する基準濃度板に照射して前記基準濃度板を前記リニアイメージセンサに読み取らせることにより、前記各段階の強度における基準濃度板読取データを取得し、取得された前記基準濃度板読取データと前記各段階の強度との関係性を表す関係特性を前記各領域毎に生成し、前記各領域について生成された前記関係特性を一致させるように変換するための変換データを生成し、生成された前記変換データに基づいて前記画像信号を変換することを特徴とする。
【発明の効果】
【００１７】
本発明によれば、所定の方向に一列に配置され、複数に分割された各領域の画像信号を前記各領域に対応する別々の出力端子から出力するリニアＣＣＤイメージセンサを備える画像読取装置において、安価でかつ簡易な構成で前記各領域におけるリニアＣＣＤイメージセンサによる読み取り信号のレベルの段差を低減させることができる。
【図面の簡単な説明】
【００１８】
【図１】本発明の実施形態に係る画像形成装置のハードウェア構成を模式的に示すブロック図である。
【図２】本発明の実施形態に係る画像形成装置の機能構成を模式的に示すブロック図である。
【図３】本発明の実施形態に係るスキャナユニットを主走査方向から見たときの断面図である。
【図４】本発明の実施形態に係る画像形成装置の制御系の機能構成を模式的に示すブロック図である。
【図５】本発明の実施形態に係るスキャナユニットがγ補正用データを生成する際の処理を説明するためのフローチャートである。
【図６】本発明の実施形態に係るスキャナユニットが階調データを取得する際のＬＥＤの点灯方法とＬＥＤドライバの構成を示す図である。
【図７】本発明の実施形態に係るスキャナユニットが基準白板を読み取った時の理想（シェーディング補正後）の読み取りデータを主走査方向にプロットしたグラフに一例を示す図である。
【図８】本発明の実施形態に係るスキャナユニットが基準白板を読み取った時の実際の読み取りデータ（シェーディングデータ）を主走査方向に対してプロットしたグラフの一例を示す図である。
【図９】本発明の実施形態に係るスキャナユニットがシェーディング補正用データを生成する際のグラフの変換を図である。
【図１０】本発明の実施形態に係るスキャナユニットが光源の明るさを段階的に暗くしていきながら基準白板を読み取る際のタイミングチャートである。
【図１１】本発明の実施形態に係るスキャナユニットが生成した前半部と後半部のＣＣＤイメージセンサのリニアリティ特性の一例を示す図である。
【図１２】本発明の実施形態に係るスキャナユニットが予め格納している理想リニアリティ特性の一例を示す図である。
【図１３】本発明の実施形態に係るスキャナユニットが生成した前半部と後半部のリニアリティ特性を理想リニアリティ特性に変換することを示すための図である。
【図１４】本発明の実施形態に係るスキャナユニットが生成する変換特性の一例を示す図である。
【図１５】本発明の実施形態に係るスキャナユニットが生成した前半部と後半部のリニアリティ特性を理想リニアリティ特性に変換することを示すための図である。
【図１６】本発明の実施形態に係るスキャナユニットが生成する変換特性の一例を示す図である。
【発明を実施するための形態】
【００１９】
以下、図面を参照して、本発明の実施形態を詳細に説明する。本実施形態においては、
複数のフォトダイオードを一列に並べ、これに並列にＣＣＤ（Ｃｈａｒｇｅ  Ｃｏｕｐｌｅｄ  Ｄｅｖｉｃｅ）イメージセンサが配置されたリニアＣＣＤイメージセンサにより原稿を読み取り画像情報を取得する画像読取装置であるスキャナユニットを例として説明する。尚、本実施形態に係るスキャナユニットは、入力された画像情報に基づいて画像形成出力を実行する画像形成装置に備えられているものとする。また、本実施形態に係るリニアＣＣＤイメージセンサは、一列に配置されたリニアＣＣＤイメージセンサを中央を境に左右２つの領域に分割して出力するタイプ（以下、「左右分割読出方式」とする）のリニアＣＣＤイメージセンサである。
【００２０】
このよう本実施形態に係るスキャナユニットにおいては、左右分割読出方式におけるリニアＣＣＤイメージセンサの左右のリニアリティ特性を一致させることができ、これにより、ＣＣＤイメージセンサの左右の信号段差をなくすことが可能となる。従って、本実施形態に係るスキャナユニットによれば、左右分割読出方式のリニアＣＣＤイメージセンサが利用されている場合であっても、分割位置に相当する位置を境に画像濃度等の画像品質が異なるといったことを防ぐことができ、読み取った原稿の画像情報の品質向上を図ることが可能となる。以下、詳細に説明する。
【００２１】
まず、図１を参照して本実施形態に係る画像形成装置１のハードウェア構成について図１を参照して説明する。図１は、本実施形態に係る画像形成装置１のハードウェア構成を模式的に示すブロック図である。尚、画像形成装置１は、図１に示すハードウェア構成に加えて、スキャナ、プリンタ等を実現するためのエンジンを備える。
【００２２】
図１に示すように、本実施形態に係る画像形成装置１は、一般的なサーバやＰＣ（Ｐｅｒｓｏｎａｌ  Ｃｏｍｐｕｔｅｒ）等と同様の構成を含む。即ち、本実施形態に係る画像形成装置１は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０及びＩ／Ｆ５０がバス８０を介して接続されている。また、Ｉ／Ｆ５０にはＬＣＤ（Ｌｉｑｕｉｄ  Ｃｒｙｓｔａｌ  Ｄｉｓｐｌａｙ）６０及び操作部７０が接続されている。
【００２３】
ＣＰＵ１０は演算手段であり、画像形成装置１全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。ＨＤＤ４０は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納される。
【００２４】
Ｉ／Ｆ５０は、バス８０と各種のハードウェアやネットワーク等を接続し制御する。ＬＣＤ６０は、ユーザが画像形成装置１の状態を確認するための視覚的ユーザインタフェースである。操作部７０は、キーボードやマウス等、ユーザが画像形成装置１に情報を入力するためのユーザインタフェースである。
【００２５】
このようなハードウェア構成において、ＲＯＭ３０やＨＤＤ４０若しくは図示しない光学ディスク等の記憶媒体に格納されたプログラムがＲＡＭ２０に読み出され、ＣＰＵ１０がＲＡＭ２０にロードされたプログラムに従って演算を行うことにより、ソフトウェア制御部が構成される。このようにして構成されたソフトウェア制御部と、ハードウェアとの組み合わせによって、本実施形態に係る画像形成装置１の機能を実現する機能ブロックが構成される。
【００２６】
次に、本実施形態に係る画像形成装置１の機能構成について、図２を参照して説明する。図２は、本実施形態に係る画像形成装置１の機能構成を模式的に示すブロック図である。図２に示すように、本実施形態に係る画像処理装置１は、コントローラ１００、ＡＤＦ（Ａｕｔｏ  Ｄｏｃｕｍｅｎｎｔ  Ｆｅｅｄｅｒ：原稿自動搬送装置）１０１、スキャナユニット１０２、排紙トレイ１０３、ディスプレイパネル１０４、給紙テーブル１０５、プリントエンジン１０６、排紙トレイ１０７及びネットワークＩ／Ｆ１０８を有する。
【００２７】
また、コントローラ１００は、主制御部１１０、エンジン制御部１２０、画像処理部１３０、操作表示制御部１４０及び入出力制御部１５０を含む。図３に示すように、本実施形態に係る画像形成装置１は、スキャナユニット１０２、プリントエンジン１０６を有する複合機として構成されている。尚、図２においては、電気的接続を実線の矢印で示しており、用紙若しくは文書束の流れを破線の矢印で示している。
【００２８】
ディスプレイパネル１０４は、画像形成装置１の状態を視覚的に表示する出力インタフェースであると共に、タッチパネルとしてユーザが画像形成装置１を直接操作し、若しくは画像形成装置１に対して情報を入力する際の入力インタフェースでもある。即ち、ディスプレイパネル１０４は、ユーザによる操作を受けるための画像を表示する機能を含む。ディスプレイパネル１０４は、図１に示すＬＣＤ６０及び操作部７０によって実現される。
【００２９】
ネットワークＩ／Ｆ１０８は、画像形成装置１がネットワークを介してＰＣ等の他の機器と通信するためのインタフェースであり、Ｅｔｈｅｒｎｅｔ（登録商標）やＵＳＢインタフェースが用いられる。ネットワークＩ／Ｆ１０８は、図１に示すＩ／Ｆ５０によって実現される。
【００３０】
コントローラ１００は、ソフトウェアとハードウェアとの組み合わせによって構成される。具体的には、ＲＯＭ３０や不揮発性メモリ並びにＨＤＤ４０や光学ディスク等の不揮発性記憶媒体に格納されたプログラムが、ＲＡＭ２０等の揮発性メモリにロードされ、ＣＰＵ１０がそのプログラムに従って動作することにより構成されるソフトウェア制御部と集積回路などのハードウェアとによってコントローラ１００が構成される。コントローラ１００は、画像形成装置１全体を制御する制御部として機能する。
【００３１】
主制御部１１０は、コントローラ１００に含まれる各部を制御する役割を担い、コントローラ１００の各部に命令を与える。エンジン制御部１２０は、プリントエンジン１０６やスキャナユニット１０２等を制御若しくは駆動する駆動手段としての役割を担う。
【００３２】
画像処理部１３０は、主制御部１１０の制御に従い、印刷出力すべき画像情報に基づいて描画情報を生成する。この描画情報とは、画像形成部であるプリントエンジン１０６が画像形成動作において形成すべき画像を描画するための情報である。また、画像処理部１３０は、スキャナユニット１０２から入力される撮像データを処理し、画像データを生成する。この画像データとは、スキャナ動作の結果物として画像形成装置１の記憶領域に格納され若しくはネットワークＩ／Ｆ１０８を介してＰＣ等の他の機器に送信される情報である。
【００３３】
操作表示制御部１４０は、ディスプレイパネル１０４に情報表示を行い若しくはディスプレイパネル１０４を介して入力された情報を主制御部１１０に通知する。入出力制御部１５０は、ネットワークＩ／Ｆ１０８を介して入力される情報を主制御部１１０に入力する。また、主制御部１１０は、入出力制御部１５０を制御し、ネットワークＩ／Ｆ１０８を介してＰＣ等の他の機器にアクセスする。
【００３４】
次に、本実施形態に係るスキャナユニット１０２のハードウェア構成について図３を参照して説明する。図３は、本実施形態に係るスキャナユニット１０２を主走査方向から見たときの断面図である。尚、ここで主走査方向とは、給紙テーブル１０５からプリントエンジン１０６に用紙が搬送されるときの方向（以下、「副走査方向」とする）に対して垂直な方向のことである。
【００３５】
図３に示すように、本実施形態に係るスキャナユニット１０２は、後述するシェーディング補正やゲイン調整、γ補正を行う際に基準として読み取られる基準白板２０１、原稿２０２を載せるための台としての原稿ガラス２０３、原稿２０２を原稿ガラス２０３に平らになるように抑えるための圧板２０４、主走査方向に一列に配置されたＬＥＤ（Ｌｉｇｈｔ  Ｅｍｉｔｔｉｎｇ  Ｄｉｏｄｅ）により構成されている光源２０５、基準白板２０１若しくは原稿２０２からの反射光をミラー２０７に向けて反射するためのミラー２０６、ミラー２０６からの反射光をミラー２０８に向けて反射するミラー２０７、ミラー２０７からの反射光を結像レンズ２０９に向けて反射するミラー２０８、ミラー２０８からの反射光をＣＣＤイメージセンサ２１０の面上に結像するための結像レンズ２０９、結像レンズ２０９により結像された原稿像を読み取るＣＣＤイメージセンサ２１０を含む。尚、光源２０５及びミラー２０６は第一のキャリッジに備えられ、ミラー２０７及びミラー２０８は第二のキャリッジ２１２に備えられている。
【００３６】
そして、このように構成されたスキャナユニット１０２が原稿２０２を読み取ることにより画像情報を取得するにはまず、基準白板２０１を読み取ることによりシェーディング補正に用いるためのシェーディング補正用データを生成する。ここで、シェーディング補正とは、読み取られた画像に対して、光量分布ムラ、ＣＣＤイメージセンサ２０７の感度ムラや出力変動等を補正し、原稿２０２を読み取ることによって生成された画像の再現性を向上するために行う補正のことである。尚、シェーディング補正用データの生成は、原稿２０２の読み取りに先だって毎回行われる。このように、本実施形態に係るスキャナユニット１０２は、シェーディング補正の後にリニアリティ補正を行うようになっているので、シェーディング補正により発生したＣＣＤイメージセンサ２１０の左右のリニアリティ特性の差異も補正することができる。
【００３７】
そして、スキャナユニット１０２は、基準白板２０１を読み取ることによりシェーディング補正用のデータを生成したら、そのまま原稿２０２の読み取りに移行して読取画像に対して順次シェーディング補正を実行する。そのためにスキャナユニット１０２は、第一のキャリッジ２１１と第二のキャリッジ２１２との距離的関係を一定の関係に維持しつつ、副走査方向に移動させながら光源２０５から原稿２０２に対して光を照射する。そして、その結果、光源２０５から照射され原稿２０２により反射された光がミラー２０６〜２０８によって結像レンズ２０９に誘導される。
【００３８】
スキャナユニット１０２は、誘導されたその反射光を結像レンズ２０９によりＣＣＤイメージセンサ２０７の面上に結像し、結像した原稿像をリニアＣＣＤイメージセンサ２１０で読み取る。スキャナユニット１０２は、ＣＣＤイメージセンサ２１０の出力信号をＡ／Ｄ変換器によりデジタルデータに変換し、そのデジタルデータに対してシェーディング補正を実行する。このように、本実施形態に係るスキャナユニット１０２は、第一のキャリッジ２１１を副走査方向に走査させながら上記読み取りを行いつつシェーディング補正を実行することにより二次元的に原稿２０２を読み取ることが可能となる。このようにして本実施形態に係るスキャナユニット１０２は、原稿２０２をデジタル的に読み取り、画像情報を取得するようになっている。
【００３９】
尚、上記の説明においては、原稿２０２が原稿台ガラス２０３にセットされて実行される原稿読み取り動作について説明したが、ＡＤＦ１０１により原稿１０２が自動搬送されて実行される場合もありうる。そのような場合の原稿読み取り動作について説明する。この場合、上記の説明と同様の動作によりシェーディング補正用のデータを生成したら、スキャナユニット１０２は、第一のキャリッジ２１１及び第二のキャリッジ２１２を所定の位置に移動させ、その位置において原稿２０２の搬送を開始して原稿読み取り動作を開始する。即ち、ＡＤＦ１０１により原稿１０２が自動搬送されて実行される原稿読み取り動作は、第一のキャリッジ２１１及び第二のキャリッジ２１２を上記所定の位置に固定したまま、原稿２０２が搬送されることにより行われる。その他の詳細な動作においては、原稿２０２が原稿台ガラス２０３にセットされて実行される原稿読み取り動作と同様である。
【００４０】
尚、本実施形態に係るスキャナユニット１０２は、電源がＯＮになったタイミングや省エネ状態から通常状態に復帰したタイミングで、基準白板２０１の読み取りデータの最大値を設定するために後述する増幅回路２１８にてゲイン調整を行う。そのためにスキャナユニット１０２は、電源がＯＮになったタイミングや省エネ状態から通常状態に復帰したタイミングで、光源２０５の光量を所定の光量に設定し、その光量において基準白板２０１を読み取り、その結果取得した読み取りデータを、予め設定されている読み取りデータと一致するように後述する増幅回路２１８にてゲインを調整する。このようにしてゲイン調整を行うことにより、スキャナユニット１０２が読み取ることができる読み取りデータのダイナミックレンジを決定することができる。
【００４１】
次に、本実施形態に係る画像形成装置１の制御系の機能構成について図４を参照して説明する。図４は、本実施形態に係る画像形成装置１の制御系の機能構成を模式的に示すブロック図である。図４に示すように、本実施形態に係るスキャナユニット１０２は、図３において示した光源２０５及びＣＣＤイメージセンサ２１０に加えて、スキャナモータ２１３、メモリ２１４、アナログ信号バッファ２１５、ＡＣ（Ａｌｔｅｒｎａｔｉｎｇ  Ｃｕｒｒｅｎｔ：交流）結合２１６、アナログ処理回路２１７、増幅回路２１８、Ａ／Ｄ変換器２１９、シェーディング補正部２２０、リニアリティ補正部２２１を含む。また、図４に示すように、本実施形態に係る画像形成装置１は、光源制御手段１０９及び図１において示したＣＰＵ１０を含む。
【００４２】
光源制御部１０９は、ＣＰＵ１０の制御により、光源２０５を構成するＬＥＤを点灯／消灯させるためのＯＮ／ＯＦＦの信号及びＬＥＤのｄｕｔｙを変化させることでＬＥＤの光量を変化させるためのＰＷＭ（Ｐｕｌｓ  Ｗｉｄｔｈ  Ｍｏｄｕｌａｔｉｏｎ）信号を光源２０５に出力する。即ち、本実施形態においては、光量は光の強度に相当し、光源制御部１０９は、光源調整部として機能する。メモリ２１４は、図１に示すＲＯＭ３０等により実現される不揮発性のメモリであり、後述する理想リニアリティ特性データを格納しており、シェーディング補正部２２０の要求に応じてシェーディング補正部２２０に上記理想リニアリティ特性データを通知する。
【００４３】
シェーディング補正部２２０は、ＣＰＵ１０から通知された基準白板の読み取りデータに基づいて、シェーディング補正用データを生成する。また、シェーディング補正部２２０は、上記シェーディング補正用データに基づいて、ＣＣＤイメージセンサ２１０から出力されたアナログ信号がＡ／Ｄ変換されたデジタルデータに対してシェーディング補正を実行する。尚、シェーディング補正部２２０によるシェーディング補正については後述する。
【００４４】
さらに、シェーディング補正部２２０は、基準白板２０１の読み取りデータに対するシェーディング補正後データとメモリ２１４から通知された理想リニアリティ特性データとに基づいて、γ補正用データであるＬＵＴ（Ｌｏｏｋ  Ｕｐ  Ｔａｂｌｅ：ルックアップテーブル）や演算式を生成しリニアリティ補正部２２１が備える図示しないレジスタに格納する。即ち、本実施形態においては、シェーディング補正部２２０は、γ補正用データ生成部として機能する。ここで、γ補正用データとは、左右分割読出方式におけるＣＣＤイメージセンサ２１０の左右のリニアリティ特性を理想のリニアリティ特性に変換するための変換用データのことである。また、ＬＵＴとは、入力信号に対する出力信号の割当テーブルのことである。このテーブルに、入力信号に対する出力信号を予め作成しておき、そのテーブルを参照することで輝度変換を行うことができる。
【００４５】
リニアリティ補正部２１０は、図示しないレジスタに格納しているγ補正用データであるＬＵＴや演算式に基づいて、原稿２０２の読み取りデータに対するシェーディング補正後データに対してγ補正を施し、γ補正後データとして出力する。ここで出力されたγ補正後データが、本実施形態に係るスキャナユニット１０２による原稿２０２の読み取り結果としての画像情報となる。即ち、本実施形態においては、原稿２０２の読み取りデータは画像信号に相当し、リニアリティ補正部２１０は、画像信号変換部として機能する。
【００４６】
このように構成されたシェーディング補正部２２０及びリニアリティ補正部２２１が、本実施形態に係る主要な機能を提供する。即ち、シェーディング補正部２２０及びリニアリティ補正部２２１が備える機能により、左右分割読出方式におけるＣＣＤイメージセンサ２１０の左右のリニアリティ特性を一致させることができ、これにより、ＣＣＤイメージセンサ２１０の左右の信号段差をなくすことが可能となる。本実施形態においてはこのことを要旨の一つとしている。
【００４７】
尚、シェーディング補正部２２０によるγ補正用データの生成は、電源がＯＮになったタイミングや省エネ状態から通常状態に復帰したタイミングに自動的に行われても良いし、サービスマンやユーザが任意のタイミングで行うようしにしても良い。電源がＯＮになったタイミングや省エネ状態から通常状態に復帰したタイミングに自動的に行われる場合には、γ補正用データを格納するためのレジスタは不揮発性である必要はない。尚、γ補正用データであるＬＵＴや演算式の生成処理については図５を参照して後述する。
【００４８】
このように構成されたスキャナユニット１０２において、図３で説明したような動作により原稿２０２を読み取る際には、ＣＣＤイメージセンサ２１０で読み取られた原稿像はアナログ電気信号として、アナログ信号バッファ２１５、ＡＣ結合２１６を介してアナログ処理回路２１７に入力される。入力されたアナログ電気信号は、アナログ処理回路２１７においてラインクランプ処理、サンプルホールド処理の各処理が実行された後、増幅回路２１８にてゲイン処理され、Ａ／Ｄ変換器２１９においてＡ／Ｄ変換が実施されデジタルデータが生成される。
【００４９】
生成されたデジタルデータは、シェーディング補正部２２０において専用の画像処理ＩＣ等を使って、ＣＰＵ１０により通知されたシェーディング補正用データに基づいてシェーディング補正が実行される。そして、シェーディング補正が施されたデジタルデータに対してリニアリティ補正部２２１は上記画像処理ＩＣ等を使ってレジスタに格納しているγ補正用データに基づいてγ補正を実行することにより原稿２０２の読み取り結果としてのγ補正後データを出力する。ここで出力されたγ補正後データが、本実施形態に係るスキャナユニット１０２による原稿２０２の読み取り結果としての画像情報となる。
【００５０】
このように構成されたスキャナユニット１０２において、本実施形態に係る要旨の一つは、左右分割読出方式におけるＣＣＤイメージセンサ２１０の左右のリニアリティ特性を一致させることができ、これにより、ＣＣＤイメージセンサ２１０の左右の信号段差をなくすことが可能となる。従って、本実施形態に係るスキャナユニット１０２によれば、左右分割読出方式のリニアＣＣＤイメージセンサが利用されている場合であっても、分割位置に相当する位置を境に画像濃度等の画像品質が異なるといったことを防ぐことができ、読み取った原稿の画像情報の品質向上を図ることが可能となる。
【００５１】
次に、本実施形態に係るスキャナユニット１０２がシェーディング補正部２２０においてγ補正用データを生成するための処理について図５を参照して説明する。図５は、本実施形態に係るスキャナユニット１０２がシェーディング補正部２２０においてγ補正用データを生成する際の処理を説明するためのフローチャートである。
【００５２】
図５に示すように、本実施形態に係るスキャナユニット１０２がシェーディング補正部２２０においてγ補正用データを生成するためにはまず、エンジン制御部１２０は、スキャナユニット１０２を制御することによりキャリッジ２１１を基準白板２０１の直下に移動させて（Ｓ５０１）、光源２０５のＬＥＤをｄｕｔｙ１００％で点灯させる（Ｓ５０２）。
【００５３】
尚、本実施形態においては、ｄｕｔｙ１００％で基準白板を読み取った際の読み取りデータと予め設定されている読み取りデータとが一致するように構成されているが、ｄｕｔｙ１００％でなくても、基準白板２０１を読み取った際の読み取りデータと予め設定されている読み取りデータとが一致し、且つ、この後に行うγ補正用データの生成に必要な階調データが十分得られるｄｕｔｙであるならば１００％でなくても良い。ここで階調データとは、光源２０５のＬＥＤ光量を段階的に暗くしていきながら取得した基準白板２０１の読み取りデータとそのときのＬＥＤ光量のｄｕｔｙ（％）とを対応づけたデータのことである。
【００５４】
そして、ＣＰＵ１０は、光源制御部１０９を制御することによりｄｕｔｙ１００％にて基準白板２０１を読み取らせる（Ｓ５０３）。スキャナユニット１０２は、基準白板２０１の読み取りデータに基づいて増幅回路２１８にてゲイン調整を行う（Ｓ５０４）。ゲイン調整後、エンジン制御部１２０は、スキャナユニット１０２を制御することによりｄｕｔｙ１００％にて再度基準白板２０１を読み取らせる（Ｓ５０５）。尚、ここで、読み取った基準白板２０１の読み取りデータは、シェーディング補正を実施するためのリファレンスとなるシェーディングデータである。
【００５５】
スキャナユニット１０２がゲイン調整後にｄｕｔｙ１００％にて再度基準白板２０１を読み取ったら、ＣＰＵ１０は、光源制御部１０９を制御することにより光源２０５に出力するＰＷＭ信号のｄｕｔｙ（％）を所定の値だけダウンさせる（Ｓ５０６）。ここで、所定の値とは、ＰＷＭ信号のｄｕｔｙ（％）を段階的に低下させる際の刻みであって、本実施形態においては５％であるが、この値に限るものではない。そして、エンジン制御部１２０は、スキャナユニット１０２を制御することにより、Ｓ５０６において設定したＰＷＭ信号のｄｕｔｙ（％）において基準白板２０１を読み取らせる（Ｓ５０７）。
【００５６】
尚、本実施形態に係るＣＣＤイメージセンサ２１０は左右分割読出方式のリニアＣＣＤイメージセンサであるため、図６に示すように、中央付近の前半読出し領域部分と後半読出し領域部分とが境界線を基準にして対象に分割されている。そのため本実施形態に係るスキャナユニット１０２は、前半部と後半部とにおいてそれぞれで読み取りを行って読み取りデータを取得するようになっている。ここで、図６は、本実施形態に係るスキャナユニット１０２が階調データを取得する際の光源２０５におけるＬＥＤの点灯方法とＬＥＤドライバの構成を示す図である。
【００５７】
また、図６に示すように、光源２０５は、ＬＥＤが一列に並べられて構成されているが、ＬＥＤの点灯は光源制御部１０９の制御により各ブロック単位で点灯／消灯を切り替えることが可能である。そこで、本実施形態に係るＣＣＤイメージセンサ２１０が左右分割読出方式のリニアＣＣＤイメージセンサであることを考慮すると、スキャナユニット１０２は、階調データ取得時は全てのＬＥＤを点灯させる必要はなく、前半部と後半部との境界付近に存在するブロックのＬＥＤのみ点灯させれば必要な階調データを取得することができる。
【００５８】
例えば、図６においては、ＬＥＤドライブ回路の各ブロックのＬＥＤドライバに接続されているＡＮＤ素子に入力されるＤＲＶ＿ＥＮ４信号以外のＤＲＶ＿ＥＮ信号を全てＯＦＦにすることでＬＥＤドライバ４のみがアクティブになり、ＬＥＤブロック４のＬＥＤのみが点灯していることがわかる。このような構成とすることにより、本実施形態に係るスキャナユニット１０２は、省エネ効果やユーザに対する眩しさの低減を図ることが可能となる。
【００５９】
スキャナユニット１０２は、基準白板２０１を読み取るとシェーディング補正部２２０において、Ｓ５０７で取得した基準白板２０１の読取データに対してシェーディング補正を実施する（Ｓ５０８）。ここで、シェーディング補正部２２０におけるシェーディング補正について、図７、図８、図９を参照して説明する。
【００６０】
図７は、本実施形態に係るスキャナユニット１０２が基準白板２０１を読み取った時の理想の読み取りデータを主走査方向に対してプロットしたグラフを示す図である。即ち、図７は、シェーディング補正後の基準白板読み取りデータを主走査方向に対してプロットしたグラフを示す図である。図８は、本実施形態に係るスキャナユニット１０２が基準白板２０１を読み取った時の実際の読み取りデータを主走査方向に対してプロットしたグラフを示す図である。即ち、図８は、スキャナユニット１０２がＳ５０５の処理において読み取ったときのシェーディングデータである。図９は、本実施形態に係るスキャナユニット１０２がシェーディング補正用データを生成する際のグラフの変換を示す図である。
【００６１】
スキャナユニット１０２が基準白板２０１を読み取ると、本来ならば図７に示すように、そのときの読み取りデータは主走査方向において一様にならなければならないが、実際には図８に示すように、主走査方向の各位置で異なった読み取りデータとなってしまう。そこで、スキャナユニット１０２は、図９に示すように、Ｓ５０５の処理において読み取った図８に示すシェーディングデータを、図７に示す理想の読み取りデータに一致するようにシェーディング補正用データを予め生成しておく。そして、シェーディング補正部２２０は、生成されたシェーディング補正用データを、原稿２０２を読み取った時の各読み取りデータや、階調データを生成する際の各読み取りデータに適用することによりシェーディング補正を行うことが可能となる。このように、Ｓ５０４の処理におけるゲイン調整後に、Ｓ５０５の処理においてｄｕｔｙ１００％で読み取った基準白板２０１の読み取りデータは、その後のシェーディング補正を実施するためのリファレンスとなるシェーディングデータである。
【００６２】
スキャナユニット１０２は、光源制御部１０９が光源２０５に出力するＰＷＭ信号のｄｕｔｙが０％になるまでＳ５０６〜Ｓ５０８と同様の処理を行う（Ｓ５０９／ＮＯ）。即ち、シェーディング補正部２２０がＳ５０５〜Ｓ５０９の処理において取得した階調データは基準濃度板読取データであり、Ｓ５０５〜Ｓ５０９の処理においては、シェーディング補正部２２０は、基準濃度板読取データ取得部として機能する。また、Ｓ５０５〜Ｓ５０９の処理における基準白板２０１は基準濃度板である。
【００６３】
スキャナユニット１０２がｄｕｔｙ０％においてＳ５０６〜Ｓ５０８の処理を終えたら（Ｓ５０９／ＹＥＳ）、シェーディング補正部２２０は、取得した基準白板２０１の読み取りデータに基づいてＣＣＤイメージセンサ２１０の前半読出し領域部分と後半読出し領域部分のリニアリティ特性を生成する（Ｓ５１０）。即ち、シェーディング補正部２２０がＳ５１０の処理において生成したリニアリティ特性は関係特性であり、Ｓ５１０においては、シェーディング補正部２２０は、関係特性生成部として機能する。このようにして、スキャナユニット１０２は、光源２０５の明るさを段階的に暗くしながら基準白板２０１を読み取ることにより段階的に変化する階調データを取得し、取得した階調データからリニアリティ特性を生成することができる。
【００６４】
ここで、本実施形態に係るスキャナユニット１０２がＳ５０６〜Ｓ５０８の処理を行う際のタイミングを図１０に示す。図１０は、本実施形態に係るスキャナユニット１０２が光源２０５の明るさを段階的に暗くしていきながら基準白板２０１を読み取る際のタイミングチャートである。
【００６５】
尚、本実施形態に係るスキャナユニット１０２が生成するリニアリティ特性は、図１０に示すように、スキャナユニット１０２が光源２０５の明るさを段階的に暗くしながら、即ち、ＬＥＤのＰＷＭｄｕｔｙ（％）を段階的にダウンさせながら基準白板２０１を読み取った時の読み取りデータを縦軸に、そのときのＬＥＤの光量を横軸にプロットしたグラフとして表すことができる。即ち、本実施形態に係るスキャナユニット１０２が生成するリニアリティ特性は、横軸がＬＥＤ光量：ＰＷＭｄｕｔｙ（％）であり、縦軸が基準白板読取データ（ｄｉｇｉｔ／１０ｂｉｔ）である座標上に、スキャナユニット１０２が取得した階調データをプロットしたグラフとして表すことができる。
【００６６】
また、左右分割読出方式のリニアＣＣＤイメージセンサにおいては、前半部と後半部とのＣＣＤ特性が異なる場合には、図１１に示すように、前半部と後半部とでＣＣＤイメージセンサのリニアリティ特性も異なったグラフとなる。
【００６７】
そして、シェーディング補正部２２０は、図１１に示すようなリニアリティ特性を生成したら、生成したリニアリティ特性とメモリ２１４から取得した図１２に示すような理想リニアリティ特性とに基づいて、γ補正用データであるＬＵＴ若しくは演算式を生成してリニアリティ補正部２２１のレジスタに格納する（Ｓ５１１）。スキャナユニット１０２は、リニアリティ特性をレジスタに格納したらγ補正用データを生成する処理を終了する。尚、図１１は、本実施形態に係るスキャナユニット１０２が生成した前半部と後半部のＣＣＤイメージセンサ２１０のリニアリティ特性の一例を示す図であり、図１２は、本実施形態に係るスキャナユニット１０２が予め格納している理想リニアリティ特性の一例を示す図である。
【００６８】
ここで、理想リニアリティ特性とは、左右分割読出方式のリニアＣＣＤイメージセンサの前半部と後半部とのリニアリティ特性の補正後のリニアリティ特性であって、前述したようにメモリ２１４に理想リニアリティ特性データとして格納されている。即ち、本実施形態における理想リニアリティ特性は基準関係特性である。即ち、本実施形態においては、前半部と後半部のリニアリティ特性を理想リニアリティ特性に一致させるように前半部と後半部のリニアリティ特性をγ補正することを要旨としている。本実施形態に係るスキャナユニット１０２は、このようにγ補正を行うことにより、左右分割読出方式におけるＣＣＤイメージセンサ２１０の左右のリニアリティ特性を一致させることができる。これにより、本実施形態に係るスキャナユニット１０２は、ＣＣＤイメージセンサ２１０の左右の信号段差をなくすことが可能となる。
【００６９】
尚、図５においては、光源２０５におけるＬＥＤ光量のｄｕｔｙ（％）を高い値から段階的に低い値に減少させていく例について説明したが、低い値若しくは０（％）から段階的に高い値に増加させていくように構成されていても良い。
【００７０】
次に、本実施形態に係るシェーディング補正部２２０が生成したリニアリティ特性と理想リニアリティ特性とに基づいて、γ補正用データであるＬＵＴ若しくは演算式を生成する際の処理、即ち、図５におけるＳ５１１の処理について、図１３、図１４を参照して説明する。図１３は、本実施形態に係るスキャナユニット１０２が生成した前半部と後半部のリニアリティ特性を理想リニアリティ特性に変換することを示すための図である。図１４は、本実施形態に係るスキャナユニット１０２が生成する変換特性の一例を示す図である。ここで変換特性とは、スキャナユニット１０２が生成したγ補正用データであるＬＵＴ若しくは演算式を、リニアリティ特性と同様の座標上においてグラフ化したものである。
【００７１】
シェーディング補正部２２０は、図１３に示すように、生成された前半部と後半部のリニアリティ特性を理想リニアリティ特性に一致させるようにγ補正用データを生成する。そのために、シェーディング補正部２２０は、前半部及び後半部のリニアリティ特性を理想リニアリティ特性を基準にして逆変換演算する。ここで、逆変換演算とは、生成されたリニアリティ特性を理想リニアリティ特性に一致させる際に、生成されたリニアリティ特性に施される演算式（変換特性）を求めるための演算のことである。その結果、図１４に示すような変換特性が生成される。そして、本実施形態に係るスキャナユニット１０２は、図１４に示されている変換特性を、γ補正用データとしてのＬＵＴや演算式の形に置き換えて読み取りデータのγ補正に利用することになる。即ち、シェーディング補正部２２０がＳ５１１の処理において生成した変換特性は変換データであり、Ｓ５１１の処理においては、シェーディング補正部５１１は、変換データ生成部として機能する。
【００７２】
上記説明では、生成された前半部と後半部のリニアリティ特性を理想リニアリティ特性に一致するようにγ補正用データを生成する例について説明したが、ＣＣＤイメージセンサ２１０の左右のリニアリティ特性を一致させる、即ち、ＣＣＤイメージセンサ２１０の左右の信号段差をなくすという目的からすれば、図１５に示すように、後半部のリニアリティ特性を前半部のリニアリティ特性に一致させるようにγ補正用データが生成されても良い。そのために、シェーディング補正部２２０は、後半部のリニアリティ特性を前半部のリニアリティ特性を基準にして逆変換演算する。
【００７３】
その結果、図１６に示すような変換特性が生成される。そして、本実施形態に係るスキャナユニット１０２は、図１６に示されている変換特性を、γ補正用データとしてのＬＵＴや演算式の形に置き換えて読み取りデータのγ補正に利用することになる。尚、上記の反対、即ち、前半部のリニアリティ特性を後半部のリニアリティ特性に一致させるようにγ補正用データが生成されても良い。
【００７４】
以上、説明したように、本実施形態に係るスキャナユニット１０２は、光源２０５の光量を段階的にダウンさせながら基準白板２０１を読み取ることにより左右分割読出方式におけるＣＣＤイメージセンサ２１０の左右のリニアリティ特性を生成し、生成したリニアリティ特性を理想リニアリティ特性に一致させ、若しくは、一方のリニアリティ特性をもう一方のリニアリティ特性に一致させるようにγ補正用データを生成することができる。
【００７５】
これにより、本実施形態に係るスキャナユニット１０２は、左右分割読出方式におけるＣＣＤイメージセンサ２１０の左右の信号段差をなくすことが可能となる。従って、本実施形態に係るスキャナユニット１０２によれば、左右分割読出方式のリニアＣＣＤイメージセンサが利用されている場合であっても、分割位置に相当する位置を境に画像濃度等の画像品質が異なるといったことを防ぐことができ、読み取った原稿の画像情報の品質向上を図ることが可能となる。
【００７６】
尚、本実施形態においては、左右分割読出方式のリニアＣＣＤイメージセンサについて説明したが、より多く分割された多分割リニアＣＣＤイメージセンサにおいても同様に適用される。
【符号の説明】
【００７７】
１  画像形成装置
１０  ＣＰＵ
２０  ＲＡＭ
３０  ＲＯＭ
４０  ＨＤＤ
５０  Ｉ／Ｆ
６０  ＬＣＤ
７０  操作部
８０  バス
１００  コントローラ
１０１  ＡＤＦ
１０２  スキャナユニット
１０３  排紙トレイ
１０４  ディスプレイパネル
１０５  給紙テーブル
１０６  プリントエンジン
１０７  排紙トレイ
１０８  ネットワークＩ／Ｆ
１０９  光源制御部
１１０  主制御部
１２０  エンジン制御部
１３０  画像処理部
１４０  操作表示制御部
１５０  入出力制御部
２０１  基準白板
２０２  原稿
２０３  原稿ガラス
２０４  圧板
２０５  光源
２０６  ミラー
２０７  ミラー
２０８  ミラー
２０９  結像レンズ
２１０  ＣＣＤイメージセンサ
２１１  第一のキャリッジ
２１２  第二のキャリッジ
２１３  スキャナモータ
２１４  メモリ
２１５  アナログ信号バッファ
２１６  ＡＣ結合
２１７  アナログ処理回路
２１８  増幅回路
２１９  Ａ／Ｄ変換器
２２０  シェーディング補正部
２２１  リニアリティ補正部
【先行技術文献】
【特許文献】
【００７８】
【特許文献１】特開２００１−２１７９９０号公報
【図１】
2014030183.tif 000003
【図２】
2014030183.tif 000004
【図３】
2014030183.tif 000005
【図４】
2014030183.tif 000006
【図５】
2014030183.tif 000007
【図６】
2014030183.tif 000008
【図７】
2014030183.tif 000009
【図８】
2014030183.tif 000010
【図９】
2014030183.tif 000011
【図１０】
2014030183.tif 000012
【図１１】
2014030183.tif 000013
【図１２】
2014030183.tif 000014
【図１３】
2014030183.tif 000015
【図１４】
2014030183.tif 000016
【図１５】
2014030183.tif 000017
【図１６】
2014030183.tif 000018